(57)【要約】  【課題】  より正確な配光制御を実現化すると共に、灯具筐体の小型・軽量化を進め、一段と経済的に製造、設置可能であり、さらに効率的な点検および整備を実現化できる新たな照明用灯具技術を提供する。  【解決手段】  ユニット取付壁１２の全周縁から環状周壁１５を立ち上げ、該環状周壁１５の環状端が灯光照射口１６となる概略矩形容器状の筺本体１１を有し、該ユニット取付壁１２内壁には、制御部５，６を搭載した深層板２０、および、該深層板２０との間に放熱空間２２を確保するよう支持部２１を介し、該灯光照射口１６内に均衡するよう、同灯光照射口１６寄りに支持した複数個のＬＥＤ３、および、複数個の配光制御レンズ４を搭載した表層板２３からなる放熱性素材製階層ユニット２を装着した上、該筺本体１１環状周壁１５環状端に、透明板７を密閉状装着してなるＬＥＤ照明灯具１である。【選択図】    図２
2015122174.tif 000002
【特許請求の範囲】
【請求項１】
概略矩形平板状のユニット取付壁の全周縁から環状周壁を立ち上げ、該環状周壁の環状端が、略矩形状の灯光照射口となる概略矩形容器状の筺本体を有し、該ユニット取付壁内壁には、少なくとも適所に制御部を搭載した深層板、および、該深層板との間に放熱空間を確保するよう１または複数の支持部を介すと共に、該灯光照射口内に均衡するよう、同灯光照射口寄りに支持した複数個のＬＥＤ（Ｌｉｇｈｔ  Ｅｍｉｔｔｉｎｇ  Ｄｉｏｄｅ。以下同様。）、および、複数個の配光制御レンズを搭載した表層板からなる放熱性素材製階層ユニットを装着した上、該筺本体環状周壁環状端に、透明板を密閉状装着してなるものとしたことを特徴とするＬＥＤ照明灯具
【請求項２】
耐水性、耐熱性および伝熱性を有する硬質素材製であって、概略矩形平板状のユニット取付壁の全周縁から、所定高さの環状周壁を立ち上げ、該環状周壁の環状端が、略矩形状の灯光照射口となる概略矩形容器状の筺本体を有し、該筺本体ユニット取付壁内壁には、環状周壁の高さ内に全体が収まる外郭寸法・形状とし、少なくとも適所に制御部を搭載した深層板、および、該深層板との間に放熱空間を確保するよう１または複数の支持部を介し、該ユニット取付壁に平行姿勢となり、該環状周壁深さの１／２よりも灯光照射口寄りの位置に支持すると共に、該灯光照射口内に均衡するよう配した複数個のＬＥＤ、および、少なくとも各ＬＥＤ光源面に対し、夫々近接するよう配し、適宜位置決めした複数個の配光制御レンズを搭載した表層板からなる放熱性素材製階層ユニットを装着した上、該筺本体環状周壁環状端に、防水性透明板を密閉状装着してなるものとしたことを特徴とするＬＥＤ照明灯具。
【請求項３】
耐水性、耐熱性および伝熱性を有する硬質素材製であって、概略矩形平板状のユニット取付壁の全周縁から、所定高さの環状周壁を立ち上げ、該環状周壁の環状端が、略矩形状の灯光照射口となる概略矩形容器状の筺本体を有し、該筺本体ユニット取付壁内壁には、環状周壁の高さ内に全体が収まる外郭寸法・形状とし、筺本体中央から離れた環状周壁寄りの適所に少なくとも電源用および調光用の制御部を搭載した深層板、および、該深層板との間に放熱空間を確保するよう、１または複数の支持部を介し、該ユニット取付壁に平行姿勢となり、該環状周壁深さの１／２よりも灯光照射口寄りの位置に支持すると共に、該灯光照射口内に均衡するよう縦横ライン上に列するよう配した複数個のＬＥＤ、および、少なくとも各ＬＥＤ光源面に対し、夫々近接するよう配し、適宜位置決めした複数個の配光制御レンズを搭載した表層板からなる放熱性素材製階層ユニットを装着した上、該筺本体環状周壁環状端に、防水性透明板を密閉状装着してなるものとしたことを特徴とするＬＥＤ照明灯具。
【請求項４】
階層ユニット表層板が、そのＬＥＤ搭載がわとなる表面の適宜範囲に、高反射率の反射膜を設けた、請求項１ないし３何れか一記載のＬＥＤ照明灯具。
【請求項５】
配光制御レンズが、配光制御対象ＬＥＤ光源面の中央を仮想原点とし、該仮想原点から垂直に無限大方向に延びる仮想軸心Ｙ線を設定し、該仮想原点からＬＥＤ光源面に平行な正負無限大方向に延び、該仮想軸心Ｙ線に直交する仮想Ｘ線と、該仮想Ｘ線と直交する仮想Ｚ線とを設定し、ＬＥＤ光源面に対し所定間隙を隔てて対峙する光源平行仮想面上に、該仮想軸心Ｙ線に中心を一致し、仮想Ｙ−Ｚ面を対称境界面とし、ＬＥＤ光源面が発する光束を、仮想Ｙ−Ｘ面上の仮想軸心Ｙ線の無限大方向、および、仮想Ｘ線の正負無限大双方向に向け、概略Ｖ字形に分岐状拡散可能な対称曲面形とした凹面形入射双面を設け、該凹面形入射双面とはレンズ肉厚分を挟む反対がわ面であって、該仮想軸心Ｙ線に中心を一致し、仮想Ｙ−Ｚ面を対称境界面とし、ＬＥＤ光源面が発する光束を、仮想Ｙ−Ｘ面上の仮想軸心Ｙ線の無限大方向、および、仮想Ｘ線の正負無限大双方向に向け、概略Ｖ字形に分岐状拡散且つ収束可能な対称曲面形とした凸面形出射双面を設け、１つのＬＥＤ光源面から発する光束を、該仮想軸心Ｙ線を中心に、仮想Ｙ−Ｚ面を対称境界面とし、仮想Ｙ−Ｘ面上の仮想軸心Ｙ線の無限大方向、および、仮想Ｘ線上正負無限大双方向に向け、概略Ｖ字形をなすよう二叉に拡散、且つ収束するよう光線誘導し、仮想Ｚ線方向に広く、仮想Ｘ線方向にはより長い広範囲を均質に照明可能としてなり、該仮想Ｘ線方向を、縦横ライン上の縦列方向に一致するよう列するよう配してなる、請求項１ないし４何れか一記載のＬＥＤ照明灯具。
【請求項６】
耐水性、耐熱性および伝熱性を有する硬質素材製であって、概略矩形平板状のユニット取付壁の全周縁から、所定高さの環状周壁を立ち上げ、該環状周壁の環状端が、略矩形状の灯光照射口となる概略矩形容器状の筺本体を有し、該筺本体ユニット取付壁内壁には、環状周壁の高さ内に全体が収まる外郭寸法・形状とし、少なくとも適所に制御部を搭載可能とした深層板、および、該深層板との間に放熱空間を確保するよう、１または複数の支持部を介し、該ユニット取付壁に平行姿勢となり、該環状周壁深さの１／２よりも灯光照射口寄りの位置に支持すると共に、該灯光照射口内に均衡するよう配置する複数個のＬＥＤ、および、少なくとも各ＬＥＤ光源面に夫々対峙する複数個の配光制御レンズを搭載可能とした表層板からなる放熱性素材製階層ユニットを装着するよう組合せた上、該筺本体環状周壁環状端に、防水性透明板を密閉状装着するよう組み合わせてなるものとした、請求項１ないし５何れか一記載のＬＥＤ照明灯具に利用する灯具筐体。
【請求項７】
耐水性、耐熱性および伝熱性を有する硬質素材製であって、概略矩形平板状のユニット取付壁の全周縁から、所定高さの環状周壁を立ち上げ、該環状周壁の環状端が、略矩形状の灯光照射口となる概略矩形容器状の筺本体を有し、該筺本体ユニット取付壁内壁には、環状周壁の高さ内に全体が収まる外郭寸法・形状とし、筺本体中央から離れた環状周壁寄りの適所に少なくとも電源用および調光用の制御部を搭載可能とした深層板、および、該深層板との間に放熱空間を確保するよう、１または複数の支持部を介し、該ユニット取付壁に平行姿勢となり、該環状周壁深さの１／２よりも灯光照射口寄りの位置に支持すると共に、該灯光照射口内に均衡するよう配置する複数個のＬＥＤ、および、少なくとも各ＬＥＤ光源面に対し、夫々近接するよう配し、適宜位置決めする複数個の配光制御レンズを搭載可能とした表層板からなる放熱性素材製階層ユニットを装着するよう組合せた上、該筺本体環状周壁環状端に、防水性透明板を密閉状装着するよう組み合わせてなるものとした、請求項１ないし６何れか一記載のＬＥＤ照明灯具に利用する灯具筐体。                                        
【発明の詳細な説明】
【技術分野】
【０００１】
この発明は、屋外に設置する照明用灯具技術に関連するものであり、特に、道路やトンネルなどに設置して安全な視界を確保可能とする照明灯具を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                          
【背景技術】
【０００２】
（着目点）
ＬＥＤ（Ｌｉｇｈｔ  Ｅｍｉｔｔｉｎｇ  Ｄｉｏｄｅ）を採用した照明灯具は、従来の蛍光灯照明灯具に比較して長寿命、小電力点灯、配光の自由度などの特長を有し、電気料金などのランニングコストの低減や、二酸化炭素排出量の削減にも貢献することができる上に、停電による消灯からも瞬時に再点灯できたり、天候や時刻毎の照度変化に応じた連続調光制御が可能であるなど、理想的な車両走行環境の創造に有効であるという理由から、安全性および経済性を重視しなければならない一般道や高速道路におけるトンネル用照明などに数多く設置されるようになっている。
【０００３】
トンネル照明用ＬＥＤ照明灯具は、例えばマルチチップ、ＣＯＢ(Ｃｈｉｐ  Ｏｎ  Ｂｏａｒｄ)タイプＬＥＤの光源面が、一般に平面的であり、従来型の蛍光灯に比較して指向性が強く、限られた範囲に照明光束が集中してしまう性質をもつから、複数個のＬＥＤを適宜間隔置き毎に縦横配列し、各ＬＥＤモジュールの実装角度を個別に調整し、全体として広範囲且つ均質に照明可能なものとしなければならず、トンネルの基本照明、入口部照明、出口部照明、特殊構造部の照明、接続道路の照明など設置場所や、停電時用照明などのように様々な利用条件下に応じ、ＬＥＤの発光数や、個別の実装角度を適宜調節しなければ、トンネル全体に渡って効率的且つ安全な路面輝度および輝度均斉度を得ることができなくなってしまうという欠点を有していた。
【０００４】
（従来の技術）
こうした状況を反映し、その打開策となるような提案もこれまでに散見されない訳ではない。
例えば、下記の特許文献１（１）に提案されているものに代表されるように、トンネル側壁などに固定する器具取付面に対して組み込み可能とした基台に、所定角度に傾斜させた搭載面を設け、該搭載面に対してＬＥＤ、および光学レンズを有する光源部を設け、当該器具取付面に対し、該搭載面に平行な姿勢となる透光性部材で開口部を閉塞した器具本体を装着し、当該器具取付面をトンネルの側壁に取り付け、先行車の背面を積極的に照明し、効果的にプロビーム照明を行なえるようにしたものや、同特許文献１（２）および同文献１（３）に見られるような、ＬＥＤ光源ユニットに対峙するようレンズ素子部を設け、該レンズ素子部入射側レンズカットに断面三角状のプリズム群を設け、出射側レンズカットに凸状プリズムを設け、前記プリズム群は、基準平面に対し実質的に同一の鋭角となる平面とし、積極的に反射鏡を設けずとも、明るさムラを低減した配光パターンを得ることができるようにしたトンネル用照明装置などが散見される。
【０００５】
しかし、前者特許文献１（１）に代表する照明器具は、ＬＥＤ、および光学レンズを固定する基台に傾斜させた搭載面を有するため、器具本体の厚み寸法が増大し、大型化および重量の増加が避けられないという致命的な欠点を有し、後者特許文献１（２）および同文献１（３）に示されているようなトンネル用照明装置は、筐体内に複数個配列したＬＥＤに、夫々レンズ素子部を正確に近接且つ対峙するよう透光性カバーを装着しなければならず、各ＬＥＤの取付位置精度、透光性カバー自体の加工精度、および、筐体に対する透光性カバーの取付け精度など、各部精度を厳しく製造管理しなければ、正確な配光制御を行うのが難しく、経済的に製造および保守管理するのが困難であるという欠点を有していた。                                                                                                                  
【特許文献１】（１）特開２０１３−１４３３１９号公報    （２）特開２０１０−２６２８１８号公報    （３）特開２０１３−２０１０６８号公報
【発明の概要】
【発明が解決しようとする課題】
【０００６】
（問題意識）
上述したとおり、従前までに提案のある各種トンネル用照明装置類は、何れも、ＬＥＤ照明の光学的性質から、ＬＥＤ素子を照明方向に向けて傾斜させたものとしなければならず、照明装置の大型化や重量の増加が避けられず、また、透明カバーにレンズ素子部を一体成型したものは、ＬＥＤ素子を傾斜させずに配光を制御可能となるが、複数個のＬＥＤ素子と、各レンズ素子部とを正確に対峙させるには、筐体および透明カバーの加工精度および組立精度を大幅に高めたものとしなければならず、しかも各レンズ素子部が外部に露出するから、汚損や破損し易く、経済的でないという欠点をもつものであり、こうした状況の中、本願出願人は、永年に亘り、トンネル照明灯具の研究、開発、製造および保守管理に携わり、既に自らにおいてＬＥＤ搭載のトンネル照明灯具を完成し、提供し続けている中、それらから得た様々な検知、およびユーザーからの情報などに基づき、ＬＥＤの発熱による寿命の悪化やエネルギー効率の低下などの従前から認識されていた課題を解決するばかりでなく、さらに、灯具筐体を小型・軽量化し、一層経済的に製造、設置、点検および整備可能なトンネル用照明灯具とする如く、更なる改善の可能性を痛感するに至ったものである。
【０００７】
（発明の目的）
そこで、この発明は、より正確な配光制御を実現化できるようにすると共に、灯具筐体の小型・軽量化を進め、一段と経済的に製造、設置可能であり、さらに効率的な点検および整備を実現化できる新たな照明用灯具技術の開発はできないものかとの判断から、逸速くその開発、研究に着手し、長期に渡る試行錯誤と幾多の試作、実験とを繰り返してきた結果、今回、遂に新規な構造のＬＥＤ照明灯具、および、それに利用する新規な構造の灯具筐体を実現化することに成功したものであり、以下では、図面に示すこの発明を代表する実施例と共に、その構成を詳述することとする。                                                                                    
【課題を解決するための手段】
【０００８】
（発明の構成）
図面に示すこの発明を代表する実施例からも明確に理解されるように、この発明のＬＥＤ照明灯具は、基本的に次のような構成から成り立っている。
即ち、概略矩形平板状のユニット取付壁の全周縁から環状周壁を立ち上げ、該環状周壁の環状端が、略矩形状の灯光照射口となる概略矩形容器状の筺本体を有し、該ユニット取付壁内壁には、少なくとも適所に制御部を搭載した深層板、および、該深層板との間に放熱空間を確保するよう１または複数の支持部を介すと共に、該灯光照射口内に均衡するよう、同灯光照射口寄りに支持した複数個のＬＥＤ（Ｌｉｇｈｔ  Ｅｍｉｔｔｉｎｇ  Ｄｉｏｄｅ。以下同様。）、および、複数個の配光制御レンズを搭載した表層板からなる放熱性素材製階層ユニットを装着した上、該筺本体環状周壁環状端に、透明板を密閉状装着してなるものとした構成を要旨とするＬＥＤ照明灯具である
【０００９】
この基本的な構成からなるＬＥＤ照明灯具を、より具体的なものとして示すならば、耐水性、耐熱性および伝熱性を有する硬質素材製であって、概略矩形平板状のユニット取付壁の全周縁から、所定高さの環状周壁を立ち上げ、該環状周壁の環状端が、略矩形状の灯光照射口となる概略矩形容器状の筺本体を有し、該筺本体ユニット取付壁内壁には、環状周壁の高さ内に全体が収まる外郭寸法・形状とし、少なくとも適所に制御部を搭載した深層板、および、該深層板との間に放熱空間を確保するよう、１または複数の支持部を介し、該ユニット取付壁に平行姿勢となり、該環状周壁深さの１／２よりも灯光照射口寄りの位置に支持すると共に、該灯光照射口内に均衡するよう配した複数個のＬＥＤ、および、少なくとも各ＬＥＤ光源面に対し、夫々近接するよう配し、適宜位置決めした複数個の配光制御レンズを搭載した表層板からなる放熱性素材製階層ユニットを装着した上、該筺本体環状周壁環状端に、防水性透明板を密閉状装着してなるものとした構成からなるＬＥＤ照明灯具である。
【００１０】
さらに具体的には、耐水性、耐熱性および伝熱性を有する硬質素材製であって、概略矩形平板状のユニット取付壁の全周縁から、所定高さの環状周壁を立ち上げ、該環状周壁の環状端が、略矩形状の灯光照射口となる概略矩形容器状の筺本体を有し、該筺本体ユニット取付壁内壁には、環状周壁の高さ内に全体が収まる外郭寸法・形状とし、筺本体中央から離れた環状周壁寄りの適所に少なくとも電源用および調光用の制御部を搭載した深層板、および、該深層板との間に放熱空間を確保するよう、１または複数の支持部を介し、該ユニット取付壁に平行姿勢となり、該環状周壁深さの１／２よりも灯光照射口寄りの位置に支持すると共に、該灯光照射口内に均衡するよう縦横ライン上に列するよう配した複数個のＬＥＤ、および、少なくとも各ＬＥＤ光源面に対し、夫々近接するよう配し、適宜位置決めした複数個の配光制御レンズを搭載した表層板からなる放熱性素材製階層ユニットを装着した上、該筺本体環状周壁環状端に、防水性透明板を密閉状装着してなるものとしたＬＥＤ照明灯具となる。
【００１１】
（関連する発明１）
上記したＬＥＤ照明灯具に関連し、この発明には、それに利用する灯具筐体も包含している。
即ち、耐水性、耐熱性および伝熱性を有する硬質素材製であって、概略矩形平板状のユニット取付壁の全周縁から、所定高さの環状周壁を立ち上げ、該環状周壁の環状端が、略矩形状の灯光照射口となる概略矩形容器状の筺本体を有し、該筺本体ユニット取付壁内壁には、環状周壁の高さ内に全体が収まる外郭寸法・形状とし、少なくとも適所に制御部を搭載可能とした深層板、および、該深層板との間に放熱空間を確保するよう、１または複数の支持部を介し、該ユニット取付壁に平行姿勢となり、該環状周壁深さの１／２よりも灯光照射口寄りの位置に支持すると共に、該灯光照射口内に均衡するよう配置する複数個のＬＥＤ、および、少なくとも各ＬＥＤ光源面に夫々対峙する複数個の配光制御レンズを搭載可能とした表層板からなる放熱性素材製階層ユニットを装着するよう組合せた上、該筺本体環状周壁環状端に、防水性透明板を密閉状装着するよう組み合わせてなるものとした、この発明の基本をなす前記ＬＥＤ照明灯具に利用する灯具筐体である。
【００１２】
この灯具筐体を、より具体的なものとして示すと、耐水性、耐熱性および伝熱性を有する硬質素材製であって、概略矩形平板状のユニット取付壁の全周縁から、所定高さの環状周壁を立ち上げ、該環状周壁の環状端が、略矩形状の灯光照射口となる概略矩形容器状の筺本体を有し、該筺本体ユニット取付壁内壁には、環状周壁の高さ内に全体が収まる外郭寸法・形状とし、筺本体中央から離れた環状周壁寄りの適所に少なくとも電源用および調光用の制御部を搭載可能とした深層板、および、該深層板との間に放熱空間を確保するよう、１または複数の支持部を介し、該ユニット取付壁に平行姿勢となり、該環状周壁深さの１／２よりも灯光照射口寄りの位置に支持すると共に、該灯光照射口内に均衡するよう配置する複数個のＬＥＤ、および、少なくとも各ＬＥＤ光源面に対し、夫々近接するよう配し、適宜位置決めする複数個の配光制御レンズを搭載可能とした表層板からなる放熱性素材製階層ユニットを装着するよう組合せた上、該筺本体環状周壁環状端に、防水性透明板を密閉状装着するよう組み合わせてなるものとした、この発明の基本をなす前記ＬＥＤ照明灯具に利用する灯具筐体ということができる。                                                                              
【発明の効果】
【００１３】
以上のとおり、この発明のＬＥＤ照明灯具、および、それに利用する灯具筐体によれば、従前までのものとは違って、上記したとおり固有の特徴ある構成から、従前までのものであれば、複数搭載したＬＥＤモジュールの取付け姿勢を個別に調節し、設置場所の条件に応じた輝度分布が得られるよう整備しなければならず、調整に要する作業工数が嵩む上、ＬＥＤモジュールの取付け姿勢を調節するための調節部品が必須となり、灯具筐体の重量が増えて大型化してしまい、トンネル壁面などへの設置作業の負担が大きくなるという問題を抱えていたが、こうした課題を悉く解決済みとなし、配光制御レンズの採用により、ＬＥＤモジュールの姿勢調節用の部品を一切不要とし、放熱空間を確保して冷却性能を高めると共に、ＬＥＤの発光効率を高めながらその耐久寿命も大幅に延命化する上、灯具筐体を従来比にして約２５％以上大幅に薄型化することができ、しかも従来比にして約１５％以上大幅に軽量化することができたから、トンネル内壁面などの高所への取付けや取外し作業の労働負担を大幅に軽減し、製造、輸送、設置、利用、および、メンテナンスの各段階において格段に経済性を高めたものとすることができるという秀れた特徴が得られるものである。
【００１４】
加えて、階層ユニット深層板の、筺本体中央から離れた環状周壁寄りの適所に少なくとも電源用および調光用の制御部を搭載したものとすることにより、ＬＥＤの熱を表層板および放熱空間に伝達および放熱する機能をより高め、冷却性能を大幅に向上することができる上、階層ユニット表層板を、環状周壁深さの１／２よりも灯光照射口寄りの位置に支持すると共に、該灯光照射口内に均衡するよう縦横ライン上に列するよう複数個のＬＥＤ、および、複数個の配光制御レンズを配するよう搭載したものは、灯具筐体を一段と薄型化し、概略矩形容器状筺本体の長辺方向に、より広く均質な照度分布を達成可能とすることができるから、トンネルなどのように奥行き方向により広く明るく照明しなければならない場所を、一層効率的に、高い安全性を確保するよう照明可能なＬＥＤ照明灯具を実現化することができるという効果を発揮するものとなる。
【００１５】
そして、各ＬＥＤに当該発明の配光制御レンズを組み合わせた、この発明のＬＥＤ照明灯具によれば、ＬＥＤ光源面から照射する光束を、灯具筐体概略矩形容器状筺本体の長辺方向に向け、概略Ｖ字形の二叉に拡散且つ収束するよう光線誘導し、該灯具筐体の概略矩形状長辺方向を、例えばトンネルの奥行き方向に一致するよう設置することにより、路面巾に渡り充分に広く照明できる上、車両通行方向である路面奥行き方向に向けてより広く均質に照明することができるものとし、該灯具筐体の薄型化、軽量化、構造の簡素化、および低廉化を達成し、メンテナンス性を高めて一般道路および高速道路などの各設計速度域毎や、トンネル入り口、出口、その他の各所毎に必要とされる照度や平均路面輝度などの条件を悉く、且つ簡便に満足し得るよう調光および点灯制御可能とする新技術を提供可能にすることができるという大きな効果を奏することになる。
【００１６】
さらには、階層ユニット表層板のＬＥＤ搭載がわとなる表面の適宜範囲に、高反射率の反射膜を設けたものとすることにより、従来型のものに比較して照明効率を高めると共に、よりグレアを抑え、ドライバーや歩行者などにとって格段に快適な照明を実現できるものとなる。                                                                                                            
【発明を実施するための最良の形態】
【００１７】
上記したとおりの構成からなるこの発明の実施に際し、その最良もしくは望ましい形態について説明を加えることにする。
ＬＥＤ（Ｌｉｇｈｔ  Ｅｍｉｔｔｉｎｇ  Ｄｉｏｄｅ）は、外部から電力の供給を受けて点灯し、外部に向け光を照射可能とする機能を担い、後述する配光制御レンズを透して配光制御した場合、必要とされる平均路面輝度を満たすに足る照度を十分に発揮可能な能力を有するものとしなければならず、砲弾型、表面実装型（ＳＭＤ：Ｓｕｒｆａｃｅ  Ｍｏｕｎｔ  Ｄｅｖｉｃｅ）、チップオンボード（Ｃｈｉｐ  Ｏｎ  Ｂｏａｒｄ）など、および、今後開発されるものを含め、様々なタイプのＬＥＤモジュール、または、ＬＥＤに置き換え可能な他の光源を配光制御の対象とすることができる。
【００１８】
配光制御レンズは、ＬＥＤ光源面が発する光束を、灯具筐体の概略矩形状筺本体の長辺方向に向けて、拡散するよう誘導可能とし、奥行き方向に広い照度分布を確保可能とする機能を担い、可能な限りＬＥＤ光源面に近接・対峙するよう装着するものとすべきであり、より具体的には例えば、後述する実施例に示すように、配光制御対象ＬＥＤ光源面の中央を仮想原点とし、該仮想原点から垂直に無限大方向に延びる仮想軸心Ｙ線を設定し、該仮想原点からＬＥＤ光源面に平行な正負無限大方向に延び、該仮想軸心Ｙ線に直交する仮想Ｘ線と、該仮想Ｘ線と直交する仮想Ｚ線とを設定し、ＬＥＤ光源面に対し所定間隙を隔てて対峙する光源平行仮想面上に、該仮想軸心Ｙ線に中心を一致し、仮想Ｙ−Ｚ面を対称境界面とし、ＬＥＤ光源面が発する光束を、仮想Ｙ−Ｘ面上の仮想軸心Ｙ線の無限大方向、および、仮想Ｘ線の正負無限大双方向に向け、概略Ｖ字形に分岐状拡散可能な対称曲面形とした凹面形入射双面を設け、該凹面形入射双面とはレンズ肉厚分を挟む反対がわ面であって、該仮想軸心Ｙ線に中心を一致し、仮想Ｙ−Ｚ面を対称境界面とし、ＬＥＤ光源面が発する光束を、仮想Ｙ−Ｘ面上の仮想軸心Ｙ線の無限大方向、および、仮想Ｘ線の正負無限大双方向に向け、概略Ｖ字形に分岐状拡散且つ収束可能な対称曲面形とした凸面形出射双面を設け、１つのＬＥＤ光源面から発する光束を、該仮想軸心Ｙ線を中心に、仮想Ｙ−Ｚ面を対称境界面とし、仮想Ｙ−Ｘ面上の仮想軸心Ｙ線の無限大方向、および、仮想Ｘ線上正負無限大双方向に向け、概略Ｖ字形をなすよう二叉に拡散、且つ収束するよう光線誘導し、仮想Ｚ線方向に広く、仮想Ｘ線方向にはより長い広範囲を均質に照明可能としてなり、該仮想Ｘ線方向を、縦横ライン上の縦列方向に一致するよう列するよう配してなるものとするのが良い。
【００１９】
灯具筐体は、トンネルなどの道路施設の適所に、この発明のＬＥＤ照明灯具を設置可能とし、複数のＬＥＤ、各種制御部などを防水、防塵可能に収容し、各ＬＥＤが発する光束を、所望方向に向けて透過可能とするよう収容する機能を担い、耐熱性および伝熱性を有する硬質素材製であって、概略矩形平板状のユニット取付壁の全周縁から、所定高さの環状周壁を立ち上げ、該環状周壁の環状端が、略矩形状の灯光照射口となる概略矩形容器状の筺本体を有するものとしなければならず、複数個のＬＥＤを装着した放熱性素材製階層ユニットを収容可能な容積を確保し、照明対象の奥行き方向に長辺を向けて設置可能なものとすべきであり、該筺本体環状周壁環状端に、防水性透明板を密閉状装着してなるものとするのが良い。
【００２０】
灯具筐体筺本体は、この発明におけるＬＥＤ照明灯具灯具筐体の容器状の主要部分をなしていて、トンネルなどの道路施設、またはその他の設置対象箇所に取付け可能とし、複数個のＬＥＤを装着した放熱性素材製階層ユニットを防水、防塵可能に収容し、防水性透明板を密閉状装着可能とする機能を担い、耐水性、耐熱性および伝熱性を有する硬質素材製であって、概略矩形平板状のユニット取付壁の全周縁から、所定高さの環状周壁を立ち上げ、該環状周壁の環状端が、略矩形状の灯光照射口となる概略矩形容器状のものとしなければならず、アルミニウム製、鍍金や塗装などの防錆処理した鋼製、銅合金製、亜鉛合金製、チタン合金製またはマグネシウム合金製などの金属製とする外、セラミックス製や硬質合成樹脂製のものなどとすることができるが、経済性や耐久性、耐熱性、放熱性などを考慮すると、後述する実施例に示すように、ステンレス鋼板を冷間鍛造、熱間鍛造または鋳造してなるものとするのが望ましく、適所に電源用や調光用などの各種レセプタクルを外装したものとするのが良い。
【００２１】
筺本体ユニット取付壁は、該筺本体に収容する階層ユニットを収容可能とする面積を確保し、耐水性、耐熱性および伝熱性を発揮し、必要に応じてトンネルなどの道路施設、またはその他の設置対象箇所に着脱自在に取り付け可能とする機能を担い、金属製、セラミックス製、硬質合成樹脂製などの概略矩形平板状とし、全周縁から、所定高さの環状周壁を立ち上げたものとすべきであり、後述する実施例に示すように、内側壁に階層ユニット着脱用となる、嵌着部やネジ結合部などのユニット着脱機構を設け、外側壁に設置施設に着脱自在に固定可能な、ブラケット金具や嵌着金具などの設置金具部を設けたものとするのが望ましい。
【００２２】
筺本体環状周壁は、ユニット取付壁の全周縁に容器状周壁を配し、耐水性、耐熱性および伝熱性を発揮して、該筺本体内に収容する階層ユニットの周囲を充分に包囲する高さ（深さ）とし、外部環境から保護し、必要に応じてトンネルなどの道路施設、またはその他の設置対象箇所に着脱自在に取付け可能とする機能を担い、金属製、セラミックス製、硬質合成樹脂製などの周壁からなり、その環状端が、略矩形状の灯光照射口を開口すると共に、防水性透明板を密閉状装着可能なものとしなければならず、後述する実施例に示すように、内側壁に階層ユニット着脱用となる、嵌着部やネジ結合部などのユニット着脱機構を設けたり、外側壁に設置施設に着脱自在に固定可能な、ブラケット金具や嵌着金具などの設置金具部を設けたりしたものとすることが可能である。
【００２３】
筺本体灯光照射口は、該筺本体に収容する階層ユニットに搭載した複数個のＬＥＤが発する照明光束を効率的に通過可能とすると共に、組立作業やメンテナンス作業に際し、階層ユニットなどの収容部品の装着や取出しを可能とする機能を担っており、環状端に、防水性透明板を着脱自在に密閉状装着可能なものとすべきであり、後述する実施例に示すように、環状端に沿って設けたシーリング用凹状段差部と、透明板外周縁との間に、弾性シールを装着したものとするのが望ましく、透明板は、ＬＥＤが発する照明光束を高効率で透過可能とし、防水性および防塵性を発揮する機能を担い、透明ガラス製、透明硬質合成樹脂製などとすることができ、後述する実施例に示すように、熱処理を施すなどして耐久性を高めた強化ガラス製とし、その外周縁にステンレス鋼製などの金属製抑え枠を組合せ、該抑え枠の周囲均衡複数箇所に設けた封止金具を介して、灯光照射口に脱着自在に装着したものとするのが良い。
【００２４】
階層ユニットは、ＬＥＤを搭載し、筺本体内に収容してから適所に固定可能とすると共に、発光中に発熱するＬＥＤを充分に冷却可能とする機能を担い、放熱性素材製とし、深層板、および、該深層板との間に放熱空間を確保するよう、１または複数の支持部を介して一体化した表層板からなるものとしなければならず、より具体的には、後述する実施例に示すように、環状周壁の高さ内に全体が収まる外郭寸法・形状とし、少なくとも適所に制御部を搭載した深層板、および、該深層板との間に放熱空間を確保するよう、１または複数の支持部を介し、該ユニット取付壁に平行姿勢となり、該環状周壁深さの１／２よりも灯光照射口寄りの位置に支持すると共に、該灯光照射口内に均衡するよう配した複数個のＬＥＤ、および、少なくとも各ＬＥＤ光源面に対し、夫々近接するよう配し、適宜位置決めした複数個の配光制御レンズを搭載した表層板からなり、その全体をアルミニウム合金製などの高熱伝導率および耐熱性に秀れる金属製か、同等の放熱性および耐久性を有するセラミックス製などの複合素材製とするのが良い。
【００２５】
深層板は、階層ユニットを、筺本体内に固定可能とすると共に、表層板から支持部を通じて伝わったＬＥＤの熱を放熱し、且つ、筺本体に伝達し、外部に放熱可能とする上、少なくとも適所に各種制御部を搭載可能とする機能を担うもので、充分な耐熱性、熱伝導性および耐久性を有し、各支持部を介して表層板を充分な強度をもって支持可能なものとしなければならず、後述する実施例に示すように、各ＬＥＤの電源用制御部や調光用制御部を搭載可能なものとすべきである。
【００２６】
支持部は、深層板と表層板との間に放熱空間を確保するよう、充分な強度で連結すると共に、それ自体が放熱し、且つ、表層板から深層板に向けて高効率で伝熱可能とする機能を担っており、深層板と表層板との間に均質に散在するよう複数配したものとするのが望ましく、出来るだけ放熱表面積および伝熱断面積の少なくとも何れか一方を大きく確保したものとするのが良い。
【００２７】
表層板は、各ＬＥＤおよび各配光制御レンズを、筺本体灯光照射口に近接して臨む、適宜深さ位置に正確に支持可能とし、各ＬＥＤが発する熱を、高効率で放熱、および、各支持部を介して、深層板がわに向けて、高効率で放熱および伝熱可能とする機能を担い、後述する実施例にも示してあるように、少なくとも各ＬＥＤおよび各配光制御レンズの周辺表面に、高反射率の反射膜を設けたものとするのが良い。
【００２８】
表層板反射膜は、各ＬＥＤが発する光束の中、各配光制御レンズを通過したり、反射したりした光束、透明板に反射した光束、および、環状周壁内壁面に反射した光束など、表層板表面に到達した光束を、灯光照射口透明板を通じて外がわに透過可能とするよう高効率に反射可能とする機能を担うものであり、表層板面への鏡面研磨層、鍍金層、蒸着膜層、塗装ミラー膜層、金属箔の貼着、合成樹脂製反射フィルムの装着などとすることができる。
以下では、図面に示すこの発明を代表する実施例と共に、その構造について詳述することとする。                                                                                                            
【図面の簡単な説明】
【００２９】
図面は、この発明のＬＥＤ照明灯具、および、それに利用する灯具筐体の技術的思想を具現化した代表的な幾つかの実施例を示すものである。
【図１】ＬＥＤ照明灯具を示す平面図である。
【図２】ＬＥＤ照明灯具を示す図１中Ａ−Ａ線断面図である。
【図３】ＬＥＤ照明灯具を示す側面図である。
【図４】ＬＥＤ照明灯具を示す正面図である。
【図５】ＬＥＤ照明灯具を示す下面図である。
【図６】電子部品類を搭載した階層ユニットを示す平面図である。
【図７】電子部品類を搭載した階層ユニットを示す図６中Ａ−Ａ線断面図である。
【図８】搭載部品点数を減じたＬＥＤ照明灯具を示す平面図である。
【図９】搭載部品点数を減じたＬＥＤ照明灯具を示す側面図である。
【図１０】搭載部品点数を減じたＬＥＤ照明灯具を示す正面図である。
【図１１】搭載部品点数を減じたＬＥＤ照明灯具を示す背面図である。
【図１２】搭載部品点数を減じたＬＥＤ照明灯具を示す断面図である。
【図１３】搭載部品点数を減じた階層ユニットを示す平面図である。
【図１４】搭載部品点数を減じた階層ユニットを示す正面図である。
【図１５】ＬＥＤおよび配光制御レンズ搭載の階層ユニットを示す平面図である。
【図１６】ＬＥＤおよび配光制御レンズ搭載の階層ユニットを示す正面図である。
【図１７】配光制御レンズを示す正面図である。
【図１８】配光制御レンズを示す仮想Ｙ−Ｚ断面図である。
【図１９】配光制御レンズを示す平面図である。
【図２０】配光制御レンズを示す下面図である。
【図２１】トンネル天井のＬＥＤ照明灯具配置を示す下面図である。
【図２２】トンネル天井のＬＥＤ照明灯具配置を示す正面図である。
【図２３】配光制御レンズの配光性能解析結果を示す規格化ファーフィールド分布図である。
【図２４】配光制御レンズの配光性能解析結果を示す規格化ファーフィールド分布断面図である。
【図２５】配光制御レンズの配光性能解析結果を示す仮想Ｘ線を軸に４０°傾けた平面上の照度分布図である。
【図２６】ＬＥＤ照明灯具を千鳥配置した場合の照明性能解析結果を示す路面照度分布図である。
【図２７】ＬＥＤ照明灯具を千鳥配置した場合の照明性能解析結果を示す路面照度分布断面図である。
【実施例１】
【００３０】
図１ないし図７に示してある事例は、ユニット取付壁１２の全周縁から環状周壁１５を立ち上げ、該環状周壁１５の環状端が灯光照射口１６となる概略矩形容器状の筺本体１１を有し、該ユニット取付壁１２内壁には、制御部５，６を搭載した深層板２０、および該深層板２０との間に放熱空間２２を確保するよう支持部２１を介し、該灯光照射口１６内に均衡するよう、同灯光照射口１６寄りに支持した複数個のＬＥＤ３、および、複数個の配光制御レンズ４を搭載した表層板２３からなる放熱性素材製階層ユニット２を装着した上、該筺本体１１環状周壁１５環状端に、透明板７を密閉状装着してなるものとした、この発明のＬＥＤ照明灯具における代表的な一実施例を示すものである。
【００３１】
それら図１ないし図７の各図、および、表１に示す仕様表からも明確に把握できるとおり、この発明のＬＥＤ照明灯具１は、概略長方形平板状のユニット取付壁１２の全周縁から、所定高さの環状周壁１５を立ち上げ、該環状周壁１５の環状端１６が、略矩形状の灯光照射口１６となる概略矩形容器状のステンレス鋼製筺本体１１を設け、該筺本体１１の概略矩形容器状の長辺部分の何れか一方に対応する環状周壁１５適所に、夫々電源用レセプタクル５０および調光用レセプタクル６０を外部に露出するよう防水状態に貫通・一体化し、該筺本体１１環状周壁１５環状端の灯光照射口１６に凹設したシーリング用凹状段差部１７に沿って、防水性、耐熱性の弾性合成樹脂製、矩形環状弾性シール７０を装着し、該ユニット取付壁１２の外がわ壁面には、長方形長辺方向両端寄りの２箇所に、夫々該ユニット取付壁１２の短辺方向の巾寸法を超える長さの短冊形板状であって、各突端に板厚方向に貫通するネジ用孔を穿設した端フランジ部を有するステンレス鋼板製設置金具１４，１４を、弾性防水シート１８，１８を挟み込むようにしてネジ結合し、防水状態に一体化したものとしてある。                                                                                                
【表１】
2015122174.tif 000003
【００３２】
階層ユニット２は、深層板２０および表層板２３が、筺本体１１内に収まる外郭寸法の概略長方形とし、５枚のＺ字縦断面形の支持部２１，２１，……を互いに分解可能にネジ結合するか、または、一部の接合部または全接合部をリベット結合や蝋付け、熔接加工などによって一部または全部を分解不可能に一体化したものとし、その全体が、高い熱伝導性を有し、且つ軽量なアルミニウム合金製のものとし、該深層板２０は、筺本体１１ユニット取付壁１２内壁に対し、ネジ結合などのユニット着脱機構１３を介して着脱可能に装着可能とし、該ユニット着脱機構１３が、前記設置金具１４，１４結合用のネジ結合構造部分を兼用し、該深層板２０と設置金具１４，１４とを共締めするように一体化したものとすることができる。
【００３３】
該深層板２０は、その概略長方形の長辺方向端寄りの一方に電源用制御部５を、他方に調光用制御部６を、夫々放熱空間２２の空間寸法内に収まるよう搭載し、各支持部２１は、発熱源となる複数個のＬＥＤ３，３，……を搭載する表層板２３から伝わる熱を、放熱空間２２の空気中、および、深層板２０がわへと効率的に伝達可能な寸法および形状のものとし、放熱空間２２を仕切り板状に分断しないよう、筺本体１１断面形状に一致しない柱状や舌片状のものとし、例えば、板形柱状のものや、窓開き板状、金網板状、パンチング孔板状など様々な形状のものとすることができる。
【００３４】
該表層板２３は、その概略長方形の表面に均衡するよう、縦ライン状に４個配したＬＥＤ３，３，……を２列、互いに等間隔を隔てるよう配列し、個々のＬＥＤ３，３，……には、配光制御レンズ４，４，……を０．５ｍｍの隙間ｄを確保するよう対峙させるよう組み合わせて固定したものとし、該ＬＥＤ３は、チップオンボード（Ｃｈｉｐ  Ｏｎ  Ｂｏａｒｄ）タイプのシャープ株式会社製、メガ銭型のものをネジ結合によって位置決め搭載してあり、少なくとも各ＬＥＤ３の周囲に対応する表面には、高反射率の金属箔製反射膜２４を貼着したものとしている。
【００３５】
図１７ないし２０に示すように、該配光制御レンズ４は、ＰＭＭＡ（ポリメタクリル酸メチル樹脂）製であって、配光制御対象ＬＥＤ光源面３０の中央を仮想原点Ｏとし、該仮想原点Ｏから垂直に無限大方向に延びる仮想軸心Ｙ線を設定し、該仮想原点ＯからＬＥＤ３光源面３０に平行な正負無限大方向に延び、該仮想軸心Ｙ線に直交する仮想Ｘ線と、該仮想Ｘ線と直交する仮想Ｚ線とを設定し、ＬＥＤ３光源面３０に対し所定間隙ｄを隔てて対峙する光源平行仮想面３１上に、該仮想軸心Ｙ線に中心を一致し、仮想Ｙ−Ｚ面を対称境界面とし、ＬＥＤ３光源面３０が発する光束８を、仮想Ｙ−Ｘ面上の仮想軸心Ｙ線の無限大方向、および、仮想Ｘ線の正負無限大双方向に向け、概略Ｖ字形に分岐状拡散可能な対称曲面形とした凹面形入射双面４０，４０を設け、該凹面形入射双面４０，４０とはレンズ肉厚分を挟む反対がわ面であって、該仮想軸心Ｙ線に中心を一致し、仮想Ｙ−Ｚ面を対称境界面とし、ＬＥＤ３光源面３０が発する光束８を、仮想Ｙ−Ｘ面上の仮想軸心Ｙ線の無限大方向、および、仮想Ｘ線の正負無限大双方向に向け、概略Ｖ字形に分岐状拡散且つ収束可能な対称曲面形とした凸面形出射双面４１，４１を設け、１つのＬＥＤ３光源面３０から発する光束８を、該仮想軸心Ｙ線を中心に、仮想Ｙ−Ｚ面を対称境界面とし、仮想Ｙ−Ｘ面上の仮想軸心Ｙ線の無限大方向、および、仮想Ｘ線上正負無限大双方向に向け、概略Ｖ字形をなすよう二叉に拡散、且つ収束するよう光線８誘導し、仮想Ｚ線方向に広く、仮想Ｘ線方向にはより長い広範囲を均質に照明可能なものとしている。
【００３６】
図１ないし図７に示すように、当該階層ユニット２は、深層板２０および表層板２３が、該ユニット取付壁１２に平行姿勢となり、該環状周壁１５深さの１／２よりも灯光照射口１６寄りの位置に、各ＬＥＤ３，３，……および各配光制御レンズ４，４，……搭載の表層板２３を支持すると共に、深層板２０に搭載した電源用制御部５は、電源用レセプタクル５０に、調光用制御部６は、調光用レセプタクル６０に電機的に接続し、外部からの電力供給と、調光制御信号送受信（または受信のみ）とを可能にした上、該筺本体１１環状周壁１５シーリング用凹状段差部１７に、弾性シール７０を介在し、環状周壁１５環状端１６に概略矩形平板状透明強化ガラス製の透明板７を密閉嵌合状に装着し、四角近傍に設けた４個の封止金具７１，７１，……にてネジ結合したものとしてある。
【００３７】
図８ないし図１６に示すように、灯具筐体１０筺本体１１内に収容する階層ユニット２には、筺本体１１の長辺方向に３個のＬＥＤ３，３，……およびそれらに１個ずつ対応する配光制御レンズ４，４，……を２列、合計６個のＬＥＤモジュールを搭載したものとすることができ、表層板２３の長方形平板状の長辺方向両端がわであって、下層に配した深層板２０の長辺方向両端に搭載した、電源用制御部５および調光用制御部６の直上に対応する部分を短尺化するよう切除したものとし、該電源用制御部５および該調光用制御部６が発する熱を、より効率的に放熱可能なものとすることができる。
【００３８】
（実施例１の作用・効果）
以上のとおりの構成からなるこの発明のＬＥＤ照明灯具１、および、それに利用する灯具筐体１０は、図１および図２に示すように、各ＬＥＤ３，３，……に夫々配光制御レンズ４，４，……を組み合わせたから、ＬＥＤ３，３，……の取付け角度調節用の部品を一切不要とし、それによって確保した階層ユニット２内空間を、放熱空間２２として冷却性能を高めたものにすると共に、筺本体１１の高さ（厚み）寸法を小さくして、小型・軽量化することができる上、図１７および図１８に示すように、ＬＥＤ３ＬＥＤ光源面５０中央仮想原点Ｏ上に、各凹面形入射双面４０，４０の仮想軸心Ｙ線を一致させ、相互間に０．５ｍｍの隙間ｄを確保するよう対峙させるよう組み合わせ、該ＬＥＤ５を発光させると、図２３ないし図２５に示すよう、仮想軸心Ｙ線上に光束を集中することなく、仮想Ｙ−Ｘ面上の仮想軸心Ｙ線の無限大方向、および、仮想Ｘ線の正負無限大双方向に向け、概略Ｖ字形に分岐状拡散且つ収束可能なものとなり、仮想Ｘ線の方向に格段に広い照度分布を得ることが可能となり、こうした配光制御特性は、後述するようトンネル照明に活かすことができる。
【００３９】
図２１および図２２に示すように、当該ＬＥＤ照明灯具１は、高さＨ１＝５．５ｍ、巾Ｗ＝９．０ｍ、奥行きＥ＝７２．０ｍのトンネルＴに対し、その複数個を、所定取付高さＨ２＝５．０ｍのトンネル天井に沿って、奥行き方向の所定間隔置き毎（Ｄ＝９．１ｍ毎）、左右側壁から所定間隔Ｃ＝１．０ｍ内側となる位置に左右千鳥配置とし、道路面Ｒ巾（Ｗ＝９．０ｍ）中央に向けて、所定傾斜角度Ｐ＝４０°の下向き傾斜角度とするよう設置したものとすると、図２６および図２７に示すように、路面照度分布に斑が少なく均質、且つ、広範囲に適度に拡散し、効率的に道路面Ｒ巾の巾全体（Ｗ）を安全なレベルに照明することができるものとなり、図１ないし図４に示してあるとおり、電源用レセプタクル５０を通じて電源用制御部５を、また、調光用レセプタクル６０を通じて調光用制御部６を、夫々外部から操作し、各ＬＥＤ３，３，……の点灯または消灯を制御したり、発光出力を調節したりするようにして、一般道路から高速道路などの各設計速度毎に要求される路面輝度を確保するよう制御し、多用に異なる照明条件下にあっても、より安全で経済的な路面輝度を確保することができる。
【００４０】
トンネルに設置し、永年に亘り使用した当該ＬＥＤ照明灯具１は、各ＬＥＤ３，３，……の寿命を迎える前の適切な時期に、新品か、メンテナンス済みのＬＥＤ照明灯具１に交換することとなるが、その際、トンネル壁面から設置金具１４を外すと共に、各配線プラグ（図示せず）を電源用レセプタクル５０および調光用レセプタクル６０から取り外して撤去したＬＥＤ照明灯具１は、複数基纏めて整備工場に搬入し、封止金具７１，７１，……を開いて透明板７を取り外し、階層ユニット２を取り出し、筺本体１１および透明板７を洗浄清掃し、防水シート１８や弾性シール７０を交換し、取り出した階層ユニット２を分解・清掃し、各ＬＥＤ３，３，……を新しいものと交換すると共に、各配光制御レンズ４，４，……を清掃し、汚損し再利用出来ないものは良品と交換し、電源用制御部５、調光用制御部６、および、それらに付随する部品類を点検・整備した上、全ての部品を組み合わせて再生し、検品、試験点灯した後、良品として出荷されたものを、再びトンネルに設置し、効率的且つ経済的に長期間に渡って利用することが可能である。
【００４１】
該表層板２３表面に金属箔製反射膜２４を貼着したものとすることにより、従来型のものでは、照明に利用されずに損失していた光束を、高効率に反射して照明に利用可能とすることができ、配光制御レンズ４，４，……間の僅かな明暗によって生じていたグレアを、より効果的に抑制できるものとなる。
【００４２】
（結  び）
叙述の如く、この発明のＬＥＤ照明灯具、および、それに利用する灯具筐体は、その新規な構成によって所期の目的を遍く達成可能とするものであり、しかも製造も容易で、従前からのＬＥＤ照明灯具技術に比較して大幅に小型・軽量化および低廉化して遥かに経済的なものとすることができる上、ＬＥＤの放熱性を高めて、一段と長寿命化することができるから、照明の設置費、ランニングコストおよびメンテナンスコストを削減したい道路管理業界、道路建設および道路メンテナンス業界はもとより、トンネルや地下施設などを建設、管理する建設業界においても高く評価され、広範に渡って利用、普及していくものになると予想される。                                                                                                  
【符号の説明】
【００４３】
１      ＬＥＤ照明灯具
１０    同  灯具筐体
１１    同  筺本体
１２    同  ユニット取付壁
１３    同  ユニット着脱機構
１４    同  設置金具
１５    同  環状周壁
１６    同  灯光照射口
１７    同  シーリング用凹状段差部
１８    同  防水シート
２      階層ユニット
２０    同  深層板
２１    同  支持部
２２    同  放熱空間
２３    同  表層板
２４    同  反射膜
３      ＬＥＤ（Ｌｉｇｈｔ  Ｅｍｉｔｔｉｎｇ  Ｄｉｏｄｅ）
３０    同  ＬＥＤ光源面
３１    同  光源平行仮想面
４      配光制御レンズ
４０    同  凹面形入射双面
４１    同  凸面形出射双面
５      電源用制御部
５０    同  電源用レセプタクル
６      調光用制御部
６０    同  調光用レセプタクル
７      透明板
７０    同  弾性シール
７１    同  封止金具
８      光束
Ｏ      仮想原点（ＬＥＤ光源面５０中央）
Ｙ      仮想軸心Ｙ線
Ｘ      仮想Ｘ線
Ｚ      仮想Ｚ線
ｄ      ＬＥＤ光源面５０とレンズ４との間隙
Ｔ      トンネル
Ｒ      道路（路面）
Ｈ１    トンネル天井の高さ
Ｗ      トンネルＴの巾
Ｅ      トンネルＴの奥行き
Ｈ２    灯具取付高さ
Ｄ      奥行き方向の灯具取付間隔
Ｃ      トンネル側壁からの取付間隔
Ｐ      灯具取付角度                                                                                              
【図１】
2015122174.tif 000004
【図２】
2015122174.tif 000005
【図３】
2015122174.tif 000006
【図４】
2015122174.tif 000007
【図５】
2015122174.tif 000008
【図６】
2015122174.tif 000009
【図７】
2015122174.tif 000010
【図８】
2015122174.tif 000011
【図９】
2015122174.tif 000012
【図１０】
2015122174.tif 000013
【図１１】
2015122174.tif 000014
【図１２】
2015122174.tif 000015
【図１３】
2015122174.tif 000016
【図１４】
2015122174.tif 000017
【図１５】
2015122174.tif 000018
【図１６】
2015122174.tif 000019
【図１７】
2015122174.tif 000020
【図１８】
2015122174.tif 000021
【図１９】
2015122174.tif 000022
【図２０】
2015122174.tif 000023
【図２１】
2015122174.tif 000024
【図２２】
2015122174.tif 000025
【図２３】
2015122174.tif 000026
【図２４】
2015122174.tif 000027
【図２５】
2015122174.tif 000028
【図２６】
2015122174.tif 000029
【図２７】
2015122174.tif 000030